(57)【要約】【課題】ルーバの開き具合を任意に選定し、かつ、その状態を完全にロックすることができるルーバのロック装置を提供する。【解決手段】ルーバ１２の軸１３ａに取付けたセクタギア１５にラックギア１８を噛み合わせ、このラックギア１８に対し、横移動を規制した部分ラックギア２２を出没させて上記ラックギア１８と部分ラックギア２２とを噛み合わせ、または、噛み合わせを外すようにする。上記ラックギア１８の背部両側に蟻溝１９が形成され、この蟻溝１９はラックギア１８を収容するケーシング１６に設けられた蟻２０に嵌って摺動し、上記部分ラックギア２２の側面に一体的に設けた凸片２５が上記ケーシング１６に摺動可能に差し込まれた操作棹２３の中央に設けた凹所２６に嵌り・離脱して部分ラックギア２２を出没させる。【選択図】図１
2007113200.tif 000002
【特許請求の範囲】
【請求項１】
扉枠（１１）に多数のルーバ（１２）を設け、各ルーバ（１２）を連結棹で連結してルーバ（１２）の開き具合を一括調節可能にし、上記ルーバ（１２）の軸の一つ（１３ａ）にセクタギア（１５）を取付け、このセクタギア（１５）に、その歯幅より広い歯幅を持ったラックギア（１８）を噛み合わせ、このラックギア（１８）の歯幅の残り部分に対し、横移動を規制した部分ラックギア（２２）を出没させて上記ラックギア（１８）と部分ラックギア（２２）とを噛み合わせ、または、噛み合わせを外すようにしたことを特徴とするルーバロック装置。
【請求項２】
上記ラックギア（１８）の背部両側に蟻溝（１９）が形成され、この蟻溝（１９）はラックギア（１８）を収容するケーシング（１６）に設けられた蟻（２０）に嵌って摺動可能になり、上記部分ラックギア２２は上記ケーシング（１６）の中央に設けた障壁（２７）内に嵌ってスプリング（２８）によりラックギア（１８）に向けて付勢され、上記部分ラックギア（２２）の側面に一体的に設けた凸片（２５）が上記ケーシング（１６）に摺動可能に差し込まれた操作棹（２３）の中央に設けた凹所（２６）に嵌り・離脱可能にしてなる請求項１に記載のルーバロック装置。
【請求項３】
上記部分ラックギア（２２）の側面に一体的に設けた凸片（２５）と、上記ケーシング（１６）に摺動可能に差し込まれた操作棹（２３）の中央に設けた凹所（２６）の形状は半円、台、山のいずれかをしている請求項１または２に記載のルーバロック装置。
【発明の詳細な説明】
【技術分野】
【０００１】
この発明はルーバの開き具合を任意に調節し、調節した状態を固定するルーバロック装置に関する。
【背景技術】
【０００２】
ルーバをロックさせる先行技術として特許文献１がある。
【０００３】
【特許文献１】特開２００４−０５２３８６号公報（要約および選択図面）
【０００４】
上記先行技術は、ルーバを任意の開度に開動し、ロックさせ、ルーバの開動操作を容易にするルーバ開動装置を提供することを課題とし、扉の枠間に複数個のルーバを平行状に配置し、扉枠内に収容したキャップを各ルーバの端に嵌め、前記各キャップを連結板で連結し、前記キャップの中の一つをピニオンキャップに選定し、扉枠の屋内側に案内部材を固定し、案内部材に前記ピニオンギアと噛み合うラックギアを備えたスライド部材を摺動自在に設け、スライド部材を摺動させてルーバを開動させるようにしたものである。
【０００５】
上記先行技術のルーバのロック装置は、ルーバの開き具合を任意に選択し、その状態でロックするようになっておらず完全なものではない。
【発明の開示】
【発明が解決しようとする課題】
【０００６】
上記先行技術の問題に鑑みこの発明は、ルーバの開き具合を任意に選定し、かつ、その状態を完全にロックすることができるルーバのロック装置を提供することを課題とする。
【課題を解決するための手段】
【０００７】
次にこの発明の課題を解決するためにこの発明は、扉枠１１に多数のルーバ１２を設け、各ルーバ１２を連結棹で連結してルーバ１２の開き具合を一括調節可能にし、上記ルーバ１２の軸の一つ１３ａにセクタギア１５を取付け、このセクタギア１５に、その歯幅より広い歯幅を持ったラックギア１８を噛み合わせ、このラックギア１８の歯幅の残り部分に対し、横移動を規制した部分ラックギア２２を出没させて上記ラックギア１８と部分ラックギア２２とを噛み合わせ、または、噛み合わせを外すようにしたもので、上記ラックギア１８の背部両側に蟻溝１９が形成され、この蟻溝１９はラックギア１８を収容するケーシング１６に設けられた蟻２０に嵌って摺動可能になり、上記部分ラックギア２２は上記ケーシング１６の中央に設けた障壁２７内に嵌ってスプリング２８によりラックギア１８に向けて付勢され、上記部分ラックギア２２の側面に一体的に設けた凸片２５が上記ケーシング１６に摺動可能に差し込まれた操作棹２３の中央に設けた凹所２６に嵌り・離脱可能にし、上記部分ラックギア２２の側面に一体的に設けた凸片２５と、上記ケーシング１６に摺動可能に差し込まれた操作棹２３の中央に設けた凹所２６の形状は半円、台、山形のいずれかをしてなる構成を採用したものである。
【発明の効果】
【０００８】
上記の如く構成するこの発明によれば、ラックギアの摺動によってルーバの開き具合を任意に調節することができ、部分ラックギアをラックギアに噛み合わせることによってラックギアが動かなくなりルーバの開き具合が固定される。また、外部からルーバの開き具合を変えようとしても動かすことはできない。
【発明を実施するための最良の形態】
【０００９】
次にこの発明の実施例を、図面を参照しながら説明する。ルーバ扉１０の枠１１に多数のルーバ１２が軸１３によって支承され、これらのルーバ１２はレバー１４を介して図示しない連結棹により互いに連結されて共動するようになっている。
【００１０】
上記多数のルーバ１２の一つの軸１３ａにセクタギア１５が取付けられ、このセクタギア１５は枠１１とケーシング１６の貫通孔１７を通り抜けてラックギア１８に噛み合い、このラックギア１８の背部両側に蟻溝１９が形成され、この蟻溝１９はケーシング１６の蟻２０に嵌って摺動可能になっている。なお、上記ラックギア１８にはケーシング１６の外から操作するためのノブ２１が設けられている。
【００１１】
ケーシング１６は、ルーバ扉１０の枠１１に取付けられ、このケーシング１６には、既に述べたようにラックギア１８が上下に摺動可能に、また、部分ラックギア２２を上下に動かす操作棹２３が納められている。
【００１２】
上記部分ラックギア２２は図３に示すように、片面に歯２４が設けられ、他面には半円形の凸片２５が形成され、この凸片２５は操作棹２３を上下に動かすことにより操作棹２３の中央部に形成した半円形の凹所２６に嵌ったり脱出したりするようになっている。
なお、上記部分ラックギア２２はケーシング１６の内面に設けられた障壁２７に挟まれてラックギア１８の摺動方向に移動できないようになり、かつ、底面にコイルスプリング２８が配置されて常時ラックギア側に付勢されている。
【００１３】
上記半円形の凸片２５が操作棹２３の凹所２６に嵌っているときは上記コイルスプリング２８の付勢によって部分ラックギア２２の歯２４はラックギア１８の歯１８ｔに噛み合っているのでラックギア１８は上下に移動できない状態になり、操作棹２３を下に押し下げて半円形の凸片２５と操作棹２３の半円形の凹所２６の嵌り合いを解くと、部分ラックギア２２がコイルスプリング２８の付勢に抗して後退し部分ラックギア２２の歯２４とラックギア１８の歯１８ｔとの噛み合いが外れてラックギア１８は上下に自由に摺動してルーバの開き具合を変えることが出来るようになる。
【００１４】
操作棹２３はケーシング１６の上下に貫通しその両端に抜け止め２９が形成され、中央部に半円形の凹所２６が設けられ、この凹所２６の反対面に肉厚部分３０を設けてその上で両方にカバー片３１を延してケーシング１６の上面で隙間３２を設けて挟むようにしている。なお、上記隙間３２は操作棹２３を上下動させたとき、半円形の凸片２５と半円形の凹所２６とが嵌ったり、外れたりできるストロークがあればよい。また、上記凸片と凹所は半円形としているが台形あるいは山形とすることもできる。
【産業上の利用可能性】
【００１５】
以上説明したとおりこの発明によれば、ルーバ扉のルーバの開き具合を自在に調節することができ、必要に応じてルーバをロックすることができる。従ってルーバの開き具合を適当に設定して覗き見を防止し、通気をよくして涼しくすることができる。また、ロックが完全なため防犯効果も良好で節電効果も得られる。
【図面の簡単な説明】
【００１６】
【図１】本発明に係るルーバロック装置のロック状態における（ａ）縦断面図、（ｂ）横断面図
【図２】同ロックを解いた状態における（ａ）縦断面図、（ｂ）横断面図
【図３】同要部分解部品図
【図４】同ルーバの開き具合を示す図で（ａ）全開（ｂ）半開（ｃ）全閉
【図５】ルーバ扉を引き違い扉に取付けた状態図
【符号の説明】
【００１７】
１０  ルーバ扉
１１  枠
１２  ルーバ
１３，１３ａ  軸
１４  レバー
１５  セクタギア
１６  ケーシング
１７  貫通孔
１８  ラックギア
１８ｔ  歯（ラックギアの）
１９  蟻溝
２０  蟻
２１  ノブ
２２  部分ラックギア
２３  操作棹
２４  歯
２５  凸片
２６  凹所
２７  障壁
２８  コイルスプリング
２９  抜け止め
３０  肉厚部分
３１  カバー片
３２  隙間
３３  引き違い扉
３４  窓枠
３５  ロック装置
【図１】
2007113200.tif 000003
【図２】
2007113200.tif 000004
【図３】
2007113200.tif 000005
【図４】
2007113200.tif 000006
【図５】
2007113200.tif 000007